(57)【要約】      （修正有）【課題】金銭の授受を行う銀行や店舗において、コイン（硬貨）の確認と授受を容易で迅速に行えるコイントレイを提供する。【解決手段】トレイ１は、確認トレイ２（以下トレイ２と称する。）の側面に取得トレイ３（以下トレイ３と称する。）を接続結合した。トレイ２は四角形をなし、トレイ３との接続部２ａを除く他の三周辺はコインの外部飛散防止壁２ｂで囲むが、該接続部２ａは、左右方向中心軸Ａ１−Ａ２に向かって外壁と共に台形状に両外側から傾斜して狭まり同時に滑り台状に傾斜下降し、外壁中央部はコインをトレイ３に移動さす為開口する。トレイ３は、トレイ左右方向中心軸Ａ１−Ａ２に対し直角方向中心軸Ｂ１−Ｂ２で両外部方向に、中央部から各々傾斜して高く（浅く）なり、軸Ａ１−Ａ２方向で軸Ｂ１−Ｂ２に対称に溝底は緩やかな凹曲線でなるＵ字型溝３ａ，３ｂを有する。【選択図】図１
0003191470.tif 000002
【実用新案登録請求の範囲】
【請求項１】
コインの授受を行うトレイが、コイン積算確認用トレイとコイン取得用トレイの両トレイを左右に接合してなる一体型トレイで、コイン取得側トレイに、両トレイの左右方向中心軸に対し両直角方向に対称で（対向して）コイン取得用Ｕ字型溝を設け、積算確認用トレイから取得用トレイ側に移動したコインを、向きあうコイン授受の双方が、何れの側からもそれぞれ異なるＵ字型溝に沿ってコインを手前に引き寄せ、異なる各コイン取り出し口から取得できる事を特徴とするトレイ。
【請求項２】
前記一体トレイにおいて、コイン積算確認部トレイ上面が、硬質の凹凸面をなし、コイン取得トレイとの接続稜線から取得トレイとの反対方向に傾斜して低くなる面を有する事を特徴とするトレイ。
【考案の詳細な説明】
【考案の詳細な説明】
【技術分野】
【０００１】  本考案は、銀行や一般店舗でコイン（硬貨）の授受を行う際に用いるコイントレイ（以下トレイと称す。）に関する。
【背景技術】
【０００２】  金額の異なるコインの授受を繰り返し行う店舗レジ等では、テーブル等で隔てて相対するコイン授受者は、テーブルに置いたトレイにコインを広げ、授受双方で積算確認後受領側はトレイ上のコインを取得する。使用するトレイには次のような種類がある。（例１）金属製トレイで上面が平滑面でなるトレイ。（例２）トレイ上のコインを指先で摘み取り出しやすくするためトレイ上面に芝生状マットを設けたトレイ、または硬く細かい突起を持つ弾性薄板マットをトレイ上面に設けたトレイ（特許文献１）。（例３）４角形トレイの側面にレンズ状曲線で浅い凹面底をなす皿状トレイを接続、または短軸を側面方向とする楕円形状に開口したコイン取得用容器を接続し楕円形状開口部の短軸方向（四角トレイの反方向）にコインを取り出すトレイ。（例５）ＡＴＭに付属する略Ｖ字型コイン容器や単独で類似形状の容器を用いるなどがある。
【特許文献１】特開２００１−２３００３
【考案が解決しようとする課題】
【０００３】  上記（例１）の平滑なトレイ上面の場合、トレイ上で指先を使ってコインの積算確認のための集配などの移動は容易に行えるが、取り出し時にはコインを指先で掴みにくく取得に時間を要する。
【０００４】  上記（例２）のトレイ上面にマットを設けた場合、コインを指先で挟みやすくトレイより取り出し易くなるか、コインの積算のためのグループ分け等のコインの移動がしにくく、取り出しも１個ずつ行うことが必要で両例共に時間がかかる。
【０００５】  上記（例３）の皿状トレイ接続の場合、トレイの円形外周壁、トレイ底の傾斜面等がコインを纏めて掬いとる形状にそぐわず前例同様コイン取得に時間がかかる。また楕円状容器を接続の場合、対向する双方の何れがコインを取得する場合でも、双方がほぼ同じ場所から同じ方向にコインを取り出すため好ましくない。
【０００６】  上記（例５）では、トレイ容器内でコインが重なり取り出しは容易に行えるが、取得前にコインの積算が出来ない。
【課題を解決するための手段】
【０００７】  コインの授受を行うトレイが、コインを広げ積算確認のためのトレイ（以下「確認トレイ」と称す。）と、コインの授受を行う双方が、何れの側からもコインを取得できる異なるコイン取り出し口を有する「取得トレイ」の２種のトレイを左右に接続してなる一体型トレイで、容易にかつ迅速にコインの授受を可能にするトレイを提供する。
【０００８】  即ち、「確認トレイ」の上面は、コインを移動しやすい硬質材（金属や樹脂製等）で、ほぼ平面をなし、コインの積算のための移動集配を行う広さを有するが、上表面には凹凸を設け、コインの積算確認時に指先と各コインの接触とコインの移動時の動きを認識しやすく、コインの惰性による予期せぬ動きを少なくする。
【０００９】  「取得トレイ」には、積算確認した「確認トレイ」上のコインを全移動し、対向して授受を行ういずれの側からも違った経路で自らの方向に手先を使って、コインを纏めて手前引き寄せ、各々異なるコイン取り出し口からコインを取得すことを可能にする半円形軒樋状溝（以下Ｕ字型溝と称す。）を設ける。
【考案の効果】
【００１０】  本一体型トレイを使用し、コインの授受双方でコインの積算確認を行い、次いで双方が各異なるコイン取り出し口から纏めてコインを取り出す事により、コイン授受が容易にかつ迅速に行えるようになる。
【図面の簡単な説明】
【００１１】
【図１】  本考案の実施形態を示すトレイの斜視図
【図２】  図１における軸Ａ１−Ａ２線断面図
【図３】  図１における軸Ａ１−Ｂ２線断面図
【考案を実施するための形態】
【００１２】  考案の実施の形態を、図１〜図３に基づいて説明する。
【００１３】  本考案によるにトレイ１は、確認トレイ２（以下トレイ２と称する。）の側面に取得トレイ３（以下トレイ３と称する。）を接続結合したトレイでその斜視図を図１で示す。トレイ２は四角形をなし、トレイ３との接続部２ａを除く他の三周辺はコインの外部飛散防止壁２ｂで囲むが、該接続部２ａは、左右方向中心軸Ａ１−Ａ２に向かって外壁と共に台形状に両外側から傾斜して狭まり同時に滑り台状に傾斜下降し、外壁中央部はコインをトレイ３に移動さす為開口する。
【００１４】  トレイ３は、図１で示すトレイ左右方向中心軸Ａ１−Ａ２に対し直角方向中心軸Ｂ１−Ｂ２で両外部方向に、中央部から各々傾斜して高く（浅く）なり、軸Ａ１−Ａ２方向で軸Ｂ１−Ｂ２に対称に溝底は緩やかな凹曲線でなるＵ字型溝３ａ，３ｂを有する。
【００１５】  図１で示すトレイ２の上面２ｄは、コインの積算のため種別毎にグループ分けの際トレイ上の指先でコインを動か易く、コインの移動を指先に伝え、かつ惰性によるコインの動きにブレーキをかけるため為に、硬質のトレイ面上に凹凸（規則、不規則何れでも良い。）を設ける。この凹凸で硬貨が部分的にトレイ上面から陥没する場合は、硬貨の動きを阻害しないダイヤモンド状の傾斜を付ける。
【００１６】  図１で示すトレイ２の上面２ｄは、図２のＤ詳細図で示す様に、接続部２ａの稜線２ｃから軸線Ａ１方向に傾斜し降下（数ｍｍから５ｍｍ程度降下）する部分２ｅを有し、硬貨が意図しない動きでトレイ３に移動するのを防止する。
【００１７】  図２で示すトレイ２からトレイ３に接続するトレイ上面の変化は、トレイ２とトレイ３の接続稜線２ｃからトレイ３方向に傾斜し低くなり角隅部３ｃでトレイ３の中央部Ｕ字型溝３ａ，３ｂの側壁と交わる。
【００１８】  トレイ３のＵ字型溝３ａ、３ｂは、左右中心軸Ａ１−Ａ２に直交する中心軸Ｂ１−Ｂ２の両外部方向に中心部から各々傾斜して上昇（図３）する（浅くなる）構造で、指先と手のひらを使って、トレイ２から移動後落下し該溝中央付近に集積するコインを手前に引き寄せ掬い上げるガイド溝をなし、底面の凹曲線はコインを掬い上げる過程でコインが中央部に移動し指先の両端からこぼれにくくするもので、該溝幅は手先を入れコインを掬い取るに適した幅とする。
【００１９】  トレイ３のＵ字型溝の端面高さｈは、掬い上げたコインを他方の手で受け取ることのできる高さ（３０ｍｍ程度）とする（図３）。但しトレイ全体をトレイ設置テーブルより別材を用いて持ち上げる場合など、下部トレイ設置テーブル等の下面と距離がある場合には、この高さを必要としない。
【００２０】  図示した考案の形態は、トレイ３をトレイ２の左右のいずれか片側面に接続結合しＵ字型溝を対向して設けた例であるが、必要に応じトレイの両側面や前後面にＵ字型溝を設けたトレイとしても良い。
【００２１】  トレイ３のコイン取り出し部３ｅは、図で示す構造以外に、コインを指先で手中に握り込める様に急角度をつけせり上げるか、逆方向にかぶさる曲線としても良い。
【００２２】  以上の様な構造を持つトレイを使用したコインの授受の方法を説明する。先ず概略のコインをトレイ２上に広げ（並べ）金額の確認と必要なコインの増減を行い、授受両者で金額の確認が出来た時点でコインをトレイ３に全移動する。移動したコインはＵ字型溝中央部にほぼ集積するので、コイン取得者は、Ｕ字型溝内のコインに手を伸ばし、コインを手前方向に纏めて掬い引き寄せ、他方の手のひらに受け取ることができる。この様に、両者が違ったコイン取出口から確実で迅速なコインの受得が可能となる。また本トレイはカード提示時のカード受け台を兼ねる事ができる。
【符号の説明】
【００２３】  １  コイントレイ
２  確認トレイ
２ａ  接続部
２ｂ  側壁
２ｃ  接続稜線
２ｄ  上面
３  取得トレイ
３ａ、３ｂ  Ｕ字型溝
３ｃ  Ｕ字型溝側壁
３ｄ  Ｕ字型溝底面１
３ｅ  コイン取り出し口
【図１】
0003191470.tif 000003
【図２】
0003191470.tif 000004
【図３】
0003191470.tif 000005
【手続補正書】
【提出日】平成26年4月7日(2014.4.7)
【手続補正１】
【補正対象書類名】実用新案登録請求の範囲
【補正対象項目名】全文
【補正方法】変更
【補正の内容】
【実用新案登録請求の範囲】
【請求項１】
コインの授受を行うトレイが、コイン積算確認用トレイとコイン取得用トレイの両トレイを左右に接合してなる一体型トレイで、コイン取得用トレイに、両トレイの左右方向中心軸に対し両直角方向に対称で（対向して）コイン取得用Ｕ字型溝を設け、積算確認用トレイから取得用トレイ側に移動したコインを、向きあうコイン授受の双方が、何れの側からもそれぞれ異なるＵ字型溝に沿ってコインを手前に引き寄せ、異なる各コイン取り出し口から取得できる事を特徴とするトレイ。
【請求項２】
前記一体型トレイにおいて、コイン積算確認用トレイ上面が、硬質の凹凸面をなし、コイン取得用トレイとの接続稜線から取得用トレイとの反対方向に傾斜して低くなる面を有する事を特徴とする請求項１に記載のトレイ。